(57)【要約】【課題】街路灯の制御部を、塩害が生じにくい構造にする。【解決手段】街路灯１には、灯具４を支持する支柱２の内部に、灯具４の点灯制御並びに蓄電池６の充電制御を行う制御部１０が設けられている。制御部１０は、正面側側面が開口部１１ａとなった制御箱１１と、制御箱１１の内部に板面を垂直にする形で取り付けられる制御基板１２を備える。制御基板１２の表面は端子台１４が装着されており、端子台１４には、水平方向に間隔を置いて配置された端子同士１５Ｌ、１５Ｒを隔てる隔壁が設けられている。隔壁は、端子台１４自体に形成された隔壁１６と、制御箱１１の底壁１１ｂから立ち上がって隔壁１６に突き合わせられる隔壁１８からなる。底壁１１ｂには、隔壁１８の両側に切れ目１９Ｌ、１９Ｒが設けられている。【選択図】図５
2009301815.tif 000002
【特許請求の範囲】
【請求項１】
灯具を支持する支柱の内部に、前記灯具の点灯制御を行う制御部を設け、前記制御部は、正面側側面が開口部となった制御箱と、前記制御箱の内部に板面を垂直にする形で取り付けられる制御基板を備え、前記制御基板の表面に装着される端子台には、水平方向に間隔を置いて配置された端子同士を隔てる隔壁が設けられていることを特徴とする街路灯。
【請求項２】
前記隔壁は前記制御箱の底壁まで続くことを特徴とする請求項１に記載の街路灯。
【請求項３】
前記制御箱の底壁には、前記隔壁の両側に切れ目が設けられていることを特徴とする請求項２に記載の街路灯。
【請求項４】
前記隔壁の側面は、前記切れ目まで続く斜面となっており、さらに、前記切れ目同士の間には、下方に向かい口を開けた凹部が形成されていることを特徴とする請求項３に記載の街路灯。
【請求項５】
前記端子台の中の端子を除き、前記制御基板上の配線部分と電子部品にはポッティングにより合成樹脂の被覆が施されていることを特徴とする請求項１から４のいずれか１項に記載の街路灯。
【発明の詳細な説明】
【技術分野】
【０００１】
本発明は街路灯に関する。
【背景技術】
【０００２】
街路灯は、支柱の外部に灯具を取り付け、支柱の内部に灯具の点灯制御を行う制御部を配置するという構造が一般的である。また最近では、ソーラーパネルと蓄電池で点灯用の電力を確保する街路灯も多くなっている。そのようなソーラー街路灯の例を特許文献１、２に見ることができる。
【０００３】
海岸に近い場所に設置される街路灯では、塩害による金属の腐食を防ぐ手だてが必要となる。制御基板について言えば、基板表面を合成樹脂で被覆して配線部分や電子部品の金属部分に塩分が付着しないようにするというのが一般的な対策である。これについては、熱可塑性フィルムで基板を梱包する（特許文献３）、導電パターン及びその導電パターンが存在する板面の全域にレジストインキを塗布し、そのレジストインキ上における導電パターンのエッジ部と対応する部位に文字印刷用インキを塗布して導電パターンのエッジ部から腐食が進行することを防ぐ（特許文献４）、銅箔等のパターン上に、半田付けをするランド部を残し、強力な防錆力のある防錆塗料を印刷塗布してプリント基板の表面を防錆塗料の塗膜で覆う（特許文献５）などの手法が知られている。
【特許文献１】特開２００３−５１２０８号公報
【特許文献２】特開２００２−１５６１０号公報
【特許文献３】特開２００１−２８４７７９号公報
【特許文献４】特開２００５−１９１２９８号公報
【特許文献５】特開平９−３２６５４９号公報
【発明の開示】
【発明が解決しようとする課題】
【０００４】
本発明は、街路灯の制御部を、塩害が生じにくい構造にすることを目的とする。
【課題を解決するための手段】
【０００５】
上記目的を達成するために、本発明に係る街路灯は、灯具を支持する支柱の内部に、前記灯具の点灯制御を行う制御部を設け、前記制御部は、正面側側面が開口部となった制御箱と、前記制御箱の内部に板面を垂直にする形で取り付けられる制御基板を備え、前記制御基板の表面に装着される端子台には、水平方向に間隔を置いて配置された端子同士を隔てる隔壁が設けられていることを特徴としている。
【０００６】
この構成によると、板面を垂直にする形で取り付けられる制御基板の表面に装着される端子台に、水平方向に間隔を置いて配置された端子同士を隔てる隔壁が形成されているから、対をなす端子に錆が発生したとしても、その錆は下に垂れて行き、しかも隔壁によって隔てられているので、錆同士が接触して短絡現象が生じるのを防ぐことができる。その結果、塩害に強く、錆による短絡で発熱したり、電流が無駄に流れたりすることのない街路灯を得ることができる。
【０００７】
また本発明は、上記構成の街路灯において、前記隔壁は前記制御箱の底壁まで続くことを特徴としている。
【０００８】
この構成によると、一方の端子から垂れ落ちる錆と他方の端子から垂れ落ちる錆が制御箱の中で出会うということがなく、短絡のおそれをさらに減少させることができる。
【０００９】
また本発明は、上記構成の街路灯において、前記制御箱の底壁には、前記隔壁の両側に切れ目が設けられていることを特徴としている。
【００１０】
この構成によると、制御箱の底壁まで達した錆は切れ目から排出されるので、錆が制御箱内に堆積して短絡を生じるといったことがない。
【００１１】
また本発明は、上記構成の街路灯において、前記隔壁の側面は、前記切れ目まで続く斜面となっており、さらに、前記切れ目同士の間には、下方に向かい口を開けた凹部が形成されていることを特徴としている。
【００１２】
この構成によると、隔壁と底壁の間の直角コーナーが存在しないので、錆は直角コーナーに滞留することなく速やかに制御箱から排出される。また、切れ目同士の間に下方に向かい口を開けた凹部が形成されているので、一方の端子から垂れ落ちる錆と他方の端子から垂れ落ちる錆は制御箱の外に出たとき凹部により確実に隔離され、制御箱の外殻表面で錆同士が出会うということがなく、短絡のおそれをさらに減少させることができる。
【００１３】
また本発明は、上記構成の街路灯において、前記端子台の中の端子を除き、前記制御基板上の配線部分と電子部品にはポッティングにより合成樹脂の被覆が施されていることを特徴としている。
【００１４】
この構成によると、端子台の端子を除く配線部分と電子部品には合成樹脂の被覆が施されるので、それらには塩害が生じにくい。また被覆はポッティングによりなされるから、形状や大きさが様々に異なる部品が制御基板上に混在していたとしても、確実に合成樹脂で包むことができる。
【発明の効果】
【００１５】
本発明によると、板面を垂直にする形で取り付けられる制御基板の表面に端子台を装着し、端子に発生する錆が下に垂れるようにするとともに、水平方向に間隔を置いて配置された端子同士を隔てる隔壁を形成したから、垂れた錆同士が接触して短絡が生じることが防がれ、短絡による発熱や電力の無駄な消費のない街路灯を得ることができる。
【発明を実施するための最良の形態】
【００１６】
以下本発明の第１実施形態を図１から図５に基づき説明する。図１は街路灯の側面図、図２は図１と直角な方向から見た街路灯の側面図、図３は街路灯の部分垂直断面図、図４は図３と直角の方向に切断した街路灯の部分垂直断面図、図５は制御箱の斜視図である。
【００１７】
街路灯１は照明に必要な電力を太陽光でまかなうタイプのものであり、金属（例えばアルミニウム合金）の多角形断面パイプからなる支柱２の頂部にソーラーパネル３を所定の角度で支持している。支柱２の上部からは、灯具４を支持する水平なブラケット５が突き出す。支柱２の内部には、ソーラーパネル３の発電した電力を蓄える蓄電池６と、灯具４の点灯制御並びに蓄電池６の充電制御を行う制御部１０が設けられている。制御部１０は、配線作業や調整作業を楽に行えるよう、作業者が作業し易い高さに配置されている。
【００１８】
制御部１０は合成樹脂製の制御箱１１（図５に最も良く形状が表れている）を備える。制御箱１１は平箱状で、正面と背面を結ぶ方向の奥行きが浅く、正面側の側面が開口部１１ａとなっている。制御箱１１の内部には制御基板１２が配置される。制御箱１１は、支柱２の内部に設けられたステー７（図４参照）に対し４本のボルト１３で固定される。制御箱１１の天面と底面からそれぞれ２個ずつ計４個の耳片が突き出しており、ボルト１３はこの耳片を貫通する形でステー７にねじ込まれる。
【００１９】
支柱２の側面には制御部１０に対し配線作業や調整作業を行うための開口部８が形成される。開口部８は通常は蓋９で閉ざされる。蓋９は、蝶番と錠前の組み合わせやボルトなどといった周知の取付手段で支柱２に固定される。
【００２０】
制御基板１２は板面を垂直にする形で制御箱１１の内部に取り付けられる。制御基板１２は印刷配線基板であって、表面には印刷配線パターン（図示せず）が形成され、その印刷配線パターンに多数の電子部品（図示せず）が実装されている。制御基板１２の下端表面には端子台１４が装着される。端子台１４は合成樹脂等の絶縁物質からなり、その表面には２個の鉄製端子１５Ｌ、１５Ｒが水平方向に間隔を置いて配置されている。端子１５Ｌ、１５Ｒは蓄電池６との間の電力ケーブルをネジ止めで接続するためのものであって、一方がプラス端子、他方がマイナス端子となる。端子１５Ｌ、１５Ｒを除き、制御基板１２上の配線部分と電子部品にはポッティングにより合成樹脂の皮膜が施される。
【００２１】
端子台１４の中央には端子１５Ｌ、１５Ｒを隔てる垂直な隔壁１６が形成され、端子台１４の両端には隔壁１６と同大の側壁１７Ｌ、１７Ｒが形成されている。制御箱１１の底壁１１ｂの中央からは垂直な隔壁１８が立ち上がる。隔壁１８の上端は隔壁１６の下端に突き合わせられ、隔壁１６と隔壁１８は、端子１５Ｌ、１５Ｒの間から制御箱１１の底壁１１ｂまで続く、一連の垂直な隔壁を構成する。隔壁１６と側壁１７Ｌ、１７Ｒは端子台１４に一体成形され、隔壁１８は制御箱１１に一体成形されるが、別部品として成形したものを組み合わせる構成であっても構わない。底壁１１ｂには、隔壁１８の両側に切れ目１９Ｌ、１９Ｒが形成されている。
【００２２】
街路灯１は上記のように構成されており、端子１５Ｌ、１５Ｒに錆が発生した場合、その錆は下に垂れて行く。端子１５Ｌから垂れる錆と端子１５Ｒから垂れる錆の間には隔壁１６、１８が存在するので、錆同士が制御箱１１の中で出会うことがない。すなわち錆により端子１５Ｌ、１５Ｒが短絡して発熱が生じたり、電流が無駄に流れたりする懸念がない。
【００２３】
また、隔壁１８の両側に切れ目１９Ｌ、１９Ｒが形成されていることにより、底壁１１ｂまで達した錆は切れ目１９Ｌ、１９Ｒから排出されるから、錆が制御箱１１内に堆積して短絡を生じるといったことがない。
【００２４】
制御基板１２上の配線部品と電子部品にはポッティングにより合成樹脂の被覆が施されているので、それらには塩害が生じにくい。また被覆はポッティングによりなされるから、形状や大きさが様々に異なる部品が制御基板１２上に混在していたとしても、確実に合成樹脂で包むことができる。
【００２５】
続いて本発明の第２実施形態を図６に基づき説明する。図６は制御箱の斜視図である。
【００２６】
第２実施形態が第１実施形態と異なるのは、隔壁１８の形状である。すなわち隔壁の左右の側面は、切れ目１９Ｌ、１９Ｒまで続く斜面となっている。さらに、切れ目１９Ｌ、１９Ｒの間には、下方に向かい口を開けた凹部２０が形成されている。
【００２７】
第１実施形態の場合、隔壁１８と底壁１１ｂの間に直角コーナーが存在したが、第２実施形態ではそれが存在しないので、錆は直角コーナーに滞留することなく速やかに制御箱１１から排出される。また、端子１５Ｌから垂れ落ちる錆と端子１５Ｒから垂れ落ちる錆は制御箱１１の外に出たとき凹部２０により確実に隔離されるから、制御箱１１の外殻表面で錆同士が出会うということがない。このため、短絡のおそれをさらに減少させることができる。
【００２８】
以上、本発明の各実施形態につき説明したが、本発明の範囲はこれに限定されるものではない。例えば、発明の適用対象はソーラー街路灯に限定されない。商業電力網から電力の供給を受ける、通常の街路灯であってもよい。また端子同士を隔てる隔壁は、実施形態では、端子台自体に形成した隔壁と、制御箱の底壁から立ち上がる隔壁を突き合わせて一連の隔壁としたが、端子台のみに隔壁を設けることとし、その隔壁を底壁に届かせてもよく、逆に底壁にのみ隔壁を設けることとし、その隔壁を端子同士の間の高さまで立ち上げてもよい。その他、発明の主旨を逸脱しない範囲で種々の変更を加えて実施することができる。
【産業上の利用可能性】
【００２９】
本発明は街路灯に広く利用可能である。
【図面の簡単な説明】
【００３０】
【図１】街路灯の側面図
【図２】図１と直角な方向から見た街路灯の側面図
【図３】街路灯の部分垂直断面図
【図４】図３と直角の方向に切断した街路灯の部分垂直断面図
【図５】制御箱の斜視図
【図６】第２実施形態に係る制御箱の斜視図
【符号の説明】
【００３１】
１    街路灯
２    支柱
３    ソーラーパネル
４    灯具
６    蓄電池
１０  制御部
１１  制御箱
１１ａ  開口部
１１ｂ  底壁
１２  制御基板
１４  端子台
１５Ｌ、１５Ｒ  端子
１６  隔壁
１８  隔壁
１９Ｌ、１９Ｒ  切れ目
２０  凹部
【図１】
2009301815.tif 000003
【図２】
2009301815.tif 000004
【図３】
2009301815.tif 000005
【図４】
2009301815.tif 000006
【図５】
2009301815.tif 000007
【図６】
2009301815.tif 000008